(57)【要約】【課題】回転体に設けられる反射面の形状を３次元的に工夫することで、回転体の回転に伴い周囲の写り込み像を回転させて、反射鏡面のみで回転体の回転動作を容易に認識可能とする。【解決手段】回転式反射鏡であって、反射面における第１子午断面が凸曲線となり、第２子午断面が前記第１子午断面と曲率が同等で曲方向が逆の凹曲線となる、アナモフィック曲面またはトロイダル曲面で構成されている。【選択図】図１
2007114327.tif 000002
【特許請求の範囲】
【請求項１】
反射面における第１子午断面が凸曲線となり、第２子午断面が前記第１子午断面と曲率が同等で曲方向が逆の凹曲線となる、アナモフィック曲面またはトロイダル曲面で構成されていることを特徴とする回転式反射鏡。
【請求項２】
反射面を形成するための部材の表面または裏面のいずれか一方または両方が、アナモフィック曲面またはトロイダル曲面で構成されていることを特徴とする請求項１記載の回転式反射鏡。
【請求項３】
入射光の一部を反射させ他の一部を透過させるものであることを特徴とする請求項１または２記載の回転式反射鏡。
【請求項４】
反射面を形成するための部材が一様な肉厚の部材にて構成されていることを特徴とする請求項２または３記載の回転式反射鏡。
【請求項５】
反射面における第１子午断面が凸曲線となり、第２子午断面が前記第１子午断面と曲率が同等で曲方向が逆の凹曲線となる、アナモフィック曲面またはトロイダル曲面で構成されていることに代えて、反射面における第１子午断面が凸のパワー、第２子午断面が前記第１子午断面とパワーが同等かつ逆符号の凹のパワーを有する、アナモフィックまたはトロイダルなホログラムレンズ面で構成されていることを特徴とする請求項１から４までのいずれか１項記載の回転式反射鏡。
【請求項６】
回転体の端面部に請求項１から５までのいずれか１項記載の回転式反射鏡を用いたものであることを特徴とする回転表示装置。
【請求項７】
単一の回転反射鏡を用いたものであって、回転反射鏡の光軸と回転体の回転軸とが揃っていることを特徴とする請求項６記載の回転表示装置。
【請求項８】
回転体の端面部に複数の回転反射鏡を配列させたものであることを特徴とする請求項６記載の回転表示装置。
【請求項９】
複数の回転反射鏡が回転体の端面部において周方向または径方向に配列されており、各回転反射鏡の第１子午面の回転位相が揃っているかまたは順次変化していることを特徴とする請求項８記載の回転表示装置。
【請求項１０】
光学フィルタまたは眼鏡を構成するものであることを特徴とする請求項７記載の回転表示装置。
【請求項１１】
回転体が回転翼であり、この回転翼の表面に回転式反射鏡が形成されたものであることを特徴とする請求項６から９までのいずれか１項記載の回転表示装置。
【請求項１２】
回転体が、容器の蓋、車輪、車輪のハブ、ローラーのいずれかであることを特徴とする請求項６から９までのいずれか１項記載の回転表示装置。
【請求項１３】
矩形平板の長辺方向の両端部を前記矩形平板の長辺方向の軸心まわり互いに捻って、前記矩形平板を螺旋状に変形させた成形品を形成し、この成型品の一部分を裁断することで、第１子午断面が凸曲線となり、第２子午断面が前記第１子午断面と曲率が同等で曲方向が逆の凹曲線となるアナモフィックな曲面を形成し、この曲面を反射面または反射面を成型するための金型マスタとすることを特徴とする回転式反射鏡の製造方法。
【請求項１４】
光源と、この光源からの光を反射するための、請求項１から５までのいずれか１項記載の回転式反射鏡と、を備えたことを特徴とする回転走査装置。
【発明の詳細な説明】
【技術分野】
【０００１】
本発明は回転式反射鏡および回転表示装置に関し、特に、周囲が写り込むように表面に意匠が施された回転体の回転動作を表示するための、回転式反射鏡、および、具体的には回転ダイヤル、回転翼、回転表示板、車輪、回転光学素子、容器の蓋、ローラーなどの回転表示装置に関する。
【背景技術】
【０００２】
回転体の回転位置を表示するために、その回転体に回転表示装置が設けられる。図１８は、電子機器に用いられる回転つまみの例を示すが、その回転表示装置として、同図（ａ）（ｂ）ではつまみ３１に凹部３２が形成されている。同図（ｃ）では、つまみ３１の表面を反射面３３として周囲の写り込み像を形成することで、回転位置を表示できるように構成されている。すなわち、同図（ｃ）に示すように、従来においては、回転体としての、回転ダイヤル、回転翼、回転表示器、車輪、回転光学素子、容器の蓋、ローラー、コロなどの表面に、周囲が写りこむように反射面が意匠されることがしばしば行われている。しかしながら、このような従来の反射面は、回転軸に垂直または平行または傾斜角を持ったな単純平面あるいは球面または円筒面・円錐面などであり、回転体の回転に伴って周囲の写り込み像を上下左右に変位させることはできても、写り込み像を回転させることはできないため、反射面単独では回転体の回転動作を容易に認識することが困難である。したがって、回転動作を認識させるためには、図１８のように回転体上にマークや凹凸を別設する必要がある。
【０００３】
従来において、反射面を備えた回転体の回転動作に伴って周囲像を回転させる必要性がある場合は、図１９に示すようなプリズム３４や、合わせ鏡などを使用したイメージローテーターを、回転体上に設けることが必要である。このため、回転面の造形自由度が小さく、意匠面での制約が大きい。
【０００４】
本発明の詳細は後述するが、それに近い技術として、特許文献１に記載の発明がある。これは通常単純凸面で構成された保安用のカーブミラーをトロイダル面で構成することで正立像を得るようにしたものである。すなわち、この特許文献１のものは、トーリック面の子午面を一方向にのみ向けて周囲の反射像を上下左右正立にするものである。しかし、特許文献１は、反射像の回転特性には言及していない。
【特許文献１】特開平８−１２２５０７号公報
【発明の開示】
【発明が解決しようとする課題】
【０００５】
そこで本発明は、回転体に設けられる反射面の形状を３次元的に工夫することで、回転体の回転に伴い周囲の写り込み像を回転させて、反射鏡面のみで回転体の回転動作を容易に認識可能とすることを目的とする。
【課題を解決するための手段】
【０００６】
上記目的を達成するため本発明の回転式反射鏡は、反射面における第１子午断面が凸曲線となり、第２子午断面が前記第１子午断面と曲率が同等で曲方向が逆の凹曲線となる、アナモフィック曲面またはトロイダル曲面で構成されているものである。
【０００７】
本発明によれば、上記において、反射面を形成するための部材の表面または裏面のいずれか一方または両方が、アナモフィック曲面またはトロイダル曲面で構成されていることが好適である。
【０００８】
また本発明によれば、上記において、入射光の一部を反射させ他の一部を透過させるものであることが好適である。
また本発明によれば、上記において、反射面を形成するための部材が一様な肉厚の部材にて構成されていることが好適である。
【０００９】
また本発明によれば、上記において、反射面における第１子午断面が凸曲線となり、第２子午断面が前記第１子午断面と曲率が同等で曲方向が逆の凹曲線となる、アナモフィック曲面またはトロイダル曲面で構成されていることに代えて、反射面における第１子午断面が凸のパワー、第２子午断面が前記第１子午断面とパワーが同等かつ逆符号の凹のパワーを有する、アナモフィックまたはトロイダルなホログラムレンズ面で構成されていることが好適である。
【００１０】
本発明の回転表示装置は、回転体の端面部に上述の回転式反射鏡を用いたものである。  本発明によれば、上記において、単一の回転反射鏡を用いたものであって、回転反射鏡の光軸と回転体の回転軸とが揃っていることが好適である。
【００１１】
また本発明によれば、上記において、回転体の端面部に複数の回転反射鏡を配列させたものであることが好適である。
また本発明によれば、上記において、複数の回転反射鏡が回転体の端面部において周方向または径方向に配列されており、各回転反射鏡の第１の子午面の回転位相が揃っているかまたは順次変化していることが好適である。
【００１２】
また本発明によれば、上記の回転表示装置が、光学フィルタまたは眼鏡を構成するものであることや、回転体が回転翼であって、この回転翼の表面に回転式反射鏡が形成されたものであることや、回転体が、容器の蓋、車輪、車輪のハブ、ローラーのいずれかであることが好適である。
【００１３】
本発明の回転式反射鏡の製造方法は、矩形平板の長辺方向の両端部を前記矩形平板の長辺方向の軸心まわり互いに捻って、前記矩形平板を螺旋状に変形させた成形品を形成し、この成型品の一部分を裁断することで、第１子午断面が凸曲線となり、第２子午断面が前記第１子午断面と曲率が同等で曲方向が逆の凹曲線となるアナモフィックな曲面を形成し、この曲面を反射面または反射面を成型するための金型マスタとするものである。
【００１４】
本発明の回転走査装置は、光源と、この光源からの光を反射するための、上記した回転式反射鏡と、を備えたものである。
【発明の効果】
【００１５】
本発明によれば、反射面を、その第１子午断面が凸曲線となり、第２子午断面が前記第１子午断面と曲率が同等で曲方向が逆の凹曲線となるアナモフィック曲面またはトロイダル曲面とすることで、前記反射面を回転させることによって、反射面に写りこむ反射像を回転させることができる。このため、従来プリズムや合わせ鏡が必要だった反射式イメージローテーターを簡素化することができて、低コストで薄く、しかも意匠性に優れた回転表示装置や回転走査装置を提供することができる。
【発明を実施するための最良の形態】
【００１６】
（発明の原理）
図１は、本発明に基く回転式反射鏡の斜視図である。１は回転軸、２は回転軸１に固定された回転体、３は回転体２の端面に形成された反射面である。反射面３は、回転非対称な３次元曲面を持つ。この構成で回転体２を回転させると、反射面３に写り込んだ像が回転する。以下、その原理を説明する。
【００１７】
図２、図３は、回転体２の断面斜視図である。反射面３は回転非対称な３次元曲面であるが、図２は反射面３の中心軸２１を通る第１子午断面を示し、この第１子午断面においては、反射面３の断面形状は、外方向に凸な凸曲線３ａ、すなわち第１子午断面においては反射面は凸面鏡である。この場合において、反射面３に対する周囲の写り込み像はほぼ平行光であり、その入射光線を４ａ、４ｃとすると、反射光線５ａ、５ｃは図示のように拡散光線となる。
【００１８】
図３は回転体２の反射面３の中心軸２１を通る第２子午断面を示す。この第２子午断面は、第１子午断面と直交する方向に沿ったものであり、反射面３の断面形状は外方向に凹な凹曲線３ｂ、すなわち第２子午断面においては反射面は凹面鏡である。この場合も、同様に反射面３に対する周囲の写り込み像はほぼ平行光であり、入射光線を４ｂ、４ｄとすると、反射光線５ｂ、５ｄは図示のように収束光線となる。
【００１９】
凸曲線３ａと凹曲線３ｂとは図１にも示されているが、反射面３の第１子午面断面の凸曲率と第２子午断面の凹曲率とは、符号が逆で大きさがほぼ等しい。そして反射面３は、第１子午面と第２子午面とを３次元的に連続的につないだアナモフィック面となっている。
【００２０】
反射面３は、トロイダル面にて構成することもできる。トロイダル面は、円環状の曲面すなわちドーナツ状の曲面や鼓状の曲面から、その一部分を取り出したものに該当する。  図４（ａ）（ｂ）は、写り込む像の方向を示した斜視図である。ここでは観察者Ｍを上から見た状態を示すが、観察者Ｍの前方に反射面３を置く。観察者Ｍの背後にある物体の方向を、上方向をＵ、下方向をＤ、右方向をＲ、左方向をＬと定義する。
【００２１】
図４（ａ）において、反射面３の第１子午面の凸曲線３ａの方向は、物体の上下方向Ｕ−Ｄと一致している。観察者Ｍの後方の物体は無限遠にあると見なせるため、物体からの光線は反射面３の第１子午面の虚焦点６ａから発散する光線となり、観察者Ｍは第１子午面の焦点６ｂよりも十分遠方に位置すれば虚像を観察することができる。この虚像の上方向Ｕ′は反転しない。
【００２２】
また図４（ａ）において、反射面３の第２子午面の凹曲線３ｂの方向は、物体の左右方向Ｒ−Ｌと一致している。このため、観察者Ｍの後方の無限遠にあると見なせる物体からの光線は、第２子午面から焦点６ｂに向けて収束するとともに焦点６ｂから再び発散する光線となる。なお、上述のように反射面３の第１子午面断面の凸曲率と第２子午断面の凹曲率との大きさがほぼ等しいため、第１子午面と第２子午面とは焦点６ａ、６ｂが共通する。観察者Ｍは、焦点６ｂより十分遠方に位置すれば、虚像を観察することができ、その光線の右方向Ｒ′は反転する。
【００２３】
したがって、図４（ａ）の状態で反射面３により観察者Ｍが観察できる像は、上下左右とも後方の物体と方向が等しい上下左右正立の像である。すなわち、たとえば平面鏡の場合は、観察者が自分自身を観察するときに右手を上げると、観察される虚像は左手を上げた像となる。すなわち鏡像反転の生じた像となる。しかし、図４の反射面３によれば、鏡像反転のない、右手を上げた虚像を観察することができる。なお、表現は異なり、またトーリック面に限定しているが、反射像が正立であることは上記した特許文献１の［０００５］にも記載されている。
【００２４】
図４（ｂ）は、反射面３を、図４（ａ）の状態から、反射面３に垂直な回転軸周りにθ（この場合は９０度）だけ回転させた状態を示す。この図４（ｂ）において、反射面３の第１子午面の凸曲線３ａの方向は、物体の左右方向Ｒ−Ｌと一致している。この場合は、観察者Ｍの後方の無限遠にある物体からの光線は虚焦点６ａから発散する光線となり、観察者Ｍは焦点６ｂより十分遠方に位置すれば虚像を観察することができ、その光線の右方向Ｒ′は反転しない。
【００２５】
また図４（ｂ）において、反射面３の第２子午面の凹曲線３ｂの方向は物体の上下方向Ｕ−Ｄと一致している。観察者Ｍの後方の無限遠にある物体からの光線は第２子午面から焦点６ｂに向けて収束するとともに焦点６ｂから再び発散する光線となり、観察者Ｍが焦点６ｂよりも十分遠方に位置すれば虚像を観察することができる。その光線の上方向Ｕ′は反転する。
【００２６】
したがって、図４（ｂ）の状態で反射面３により観察者Ｍが観察できる像は、上下・左右の両方とも後方の物体と方向が反転した１８０度倒立の像である。同様にして、図４（ａ）の状態から反射面３に垂直な回転軸周りにθ（任意の角度）だけ回転させた場合は、反射面３により観察者Ｍが観察できる像は、２θだけ回転した鏡像反転のない像となる。
【００２７】
これを実際にアナモルフィックな反射面を試作して実験した結果を図５に示す。図５（ｂ）および（ｃ）は、図５（ａ）に比べて反射面をその反射面にほぼ垂直な軸周りに２２．５度および４５度回転させたものである。反射像は、その倍角の４５度および９０度回転していることが確認できる。この場合、反射像はアナモフィック面の曲率のため縮小された像となるが、鏡面全域において大きく歪むようなことはない。反射像の歪みを低減するには、凸曲率と凹曲率とを厳密に等しくしたアナモフィック面とすることが望ましい。
【００２８】
このように本発明によれば、回転体に設けたアナモフィック反射面の回転に伴い、周囲の写り込み像を回転させることが可能である。
図６は、アナモフィックな反射面３の高低分布を詳しく示す平面図である。同図（ａ）は、高低分布を濃度で表したもので、高い部分と低い部分とが高濃度になるとともに、中間の部分が低濃度になっている。同図（ｂ）は高低分布を等高線で表したものである。この反射面３は、第１子午面の凸曲線３ａの位置において凸面の最大サグとなっている。また第２子午面の凹曲線３ｂの位置において凹面の最大サグとなっており、第１子午面の凸曲線３ａの方向と第２子午面の凹曲線３ｂの方向とはほぼ直交関係にある。また第１子午面の凸曲線３ａの方向および第２子午面の凹曲線３ｂの方向に対し４５度の方向すなわち中立軸３ｃ、３ｄの方向には、凹凸がなく、サグはほぼ０である。図６（ｂ）に示す等高線パターンは、中立軸３ｃ、３ｄを象限軸とする双曲線関数となっていることが分かる。
【００２９】
本発明によれば、上記した曲面構造の反射面３に代えて、図６に示すような等高線パターンのホログラムまたはブレーズ断面ホログラムレンズを反射面に刻設すれば、反射面３を平坦に形成することができる。または、任意のほぼ平坦な曲面でありながら、その反射光線にパワーを与えることができ、反射面３の意匠の自由度を飛躍的に高めることができる。
（実施の形態）
本発明の回転式反射鏡および回転式反射鏡を用いた回転表示装置の実施の形態について説明する。
【００３０】
図７に示す回転表示装置において、１は回転軸、２は円板状の回転体である。反射面３は回転体２の上に複数面が取り付けられており、ここでは回転体２の円周方向に配列されている。これら複数の反射面３は、それぞれの第１子午面の回転位相が揃えられている。このため、個々の反射面３の大きさが小さくても、回転体３の回転動作を容易に確認することができる。
【００３１】
図８に示す回転表示装置では、反射面３は図７の場合と同様に回転体２の上に複数面が円周方向に配列されて取り付けられている。図７のものとの相違点は、複数の反射面３の第１子午面の回転位相が順次変化を与えられているところにある。このため、回転体３が回転する状態で任意の１箇所（たとえば回転軸心が水平方向であるときの最上部）において反射面３に着目した場合、その箇所には位相の異なる反射面が逐次位置することになる。これにより、反射の回転動作を任意に設定することができる。
【００３２】
図９は、反射鏡の変形例を示す。反射面３の形状は、先に説明したものと同じである。ここでは、反射面３を構成する部材２２は、表面、裏面ともアナモフィック曲面で構成されており、全体に均等な肉厚となっている。この部材２２は、透光性を有する材料で形成されるとともに、その反射面３には、入射光線４、４ａ〜４ｄの一部を反射し他の一部を透過する部分透過反射膜が蒸着されている。
【００３３】
図１０は図９の反射鏡を枠に挿入したものを示す。ここで、回転する内枠７と不回転の外枠８との間で回転摺動が行われる。反射鏡は内枠７に取り付けられている。図１０（ａ）は第１子午断面を示し、図１０（ｂ）は第２子午断面を示すが、いずれの場合も部材２２は均等肉厚のため、図１０および図９に示すように、平行な入射光線４、４ａ〜４ｄのうちこの部材２２を透過する一部の光線４′、４ａ′〜４ｄ′は、ほぼ平行のまま透過する。これは図１９に示される従来の回転表示装置であるプリズム３４にはない特徴であり、反射面３の回転により反射像を回転させる機能と透過像を歪み無く透過させる機能とを兼用するため、光学フィルタまたは眼鏡の回転表示装置としての応用が可能である。ここで、３ａ′は凸曲線３ａに対応した凹曲線であり、３ｂ′は凹曲線３ｂに対応した凸曲線である。
【００３４】
図１１は、回転翼に関する回転表示装置を示す。ここで、反射面３の形状は、上述のものと同様である。反射面３を構成する部材２３は、表面、裏面ともアナモフィック曲面で構成されており、ほぼ均等な薄い肉厚となっている。８は回転体で、回転軸１０によって回転される。部材２３は、回転体８からの支持アーム９によって、回転体８よりも外周側における回転体８と同心の円周上に複数個支持されている。部材２３は、上記のように薄く構成するとともに、適度に傾斜を設けることで、回転翼としての機能を兼用する。すなわち、反射面３を備えた部材２３利用して、流体（気体・液体）を撹拌する回転翼を構成している。これは部材２３を薄く構成したことによる応用である。なお、反射面３を上述のホログラムとすることによって部材２３をいっそう薄く構成することもできる。このように、反射面３を回転翼の回転表示装置として利用することができる。
【００３５】
図１２は、撹拌のための回転翼の変形例を示す。この回転翼を構成する部材２４は、表面、裏面ともアナモフィック曲面で構成されており、ほぼ均等な薄い肉厚となっている。そして部材２４は中央に穴３ｅのあいた円形の輪帯状であり、回転体８からの支持アーム９によりこの回転体８に支持されている。この図１２のものは、図１１のものと同様に部材２４を薄く構成し、適度に傾斜を設けることで、回転翼としての機能を兼用する。すなわち流体（気体・液体）を撹拌する回転翼となっている。反射面３は、回転翼の回転表示装置を構成する。同様に、反射面３を上述のホログラムとすることによって部材２４をいっそう薄く構成することもできる。
【００３６】
図１３は、車輪の回転表示装置を示す。ここで、１２は車軸、１１は車軸１２に軸支されたハブであり、このハブ１１の表面に反射面３を備えた部材２５が複数配列されている。ハブ１１に反射面３を用いると、図１９に示す従来のものに比べて部材２５を薄くまた凹凸を小さく構成できることにより、車輪の回転時の空気抵抗を小さくすることができる。
【００３７】
なお、反射面３を上述のホログラムとすることによって部材２５をいっそう薄く構成することもできる。このように、反射面３を車輪の回転表示装置として利用することができる。
【００３８】
図１４は、ローラーの回転表示装置を示す。図示のローラー１３は、自身が転動することで搭載物１４を移動させる。ローラー１３の端面には反射面３が形成されている。これにより、複数のローラーの中から回転していない不良のローラーを容易に識別することができる。これは、図１９に示す従来の回転表示装置に比べて単純な構成の反射面３を採用したことにより応用が可能となったものである。
【００３９】
図１５は、本発明の回転表示装置を容器の蓋に適用したものを示す。すなわち１５は略円筒形状の容器であり、反射面３が形成された蓋１６を有する。これにより、蓋１６の開閉にともなう回転動作を、反射面３への写り込み像の回転にて、操作者が確認することができる。
（反射面の製造方法）
本発明の反射面３の製造方法の一例について、図１６を参照しながら説明する。
【００４０】
本発明に基くアナモフィック曲面あるいはトロイダル曲面は、三次元的に複雑な形状であり、かつ鏡面としての平滑度が要求される。したがって、基本的には樹脂成形や板金のプレス加工にての形成が可能であるが、そのための金型の形成には、従来の技術によれば、三次元形状を制御可能なたとえば非球面レンズ加工などと同様の高度な技術が必要である。これに対し本発明の製造方法は、このような曲面を容易に形成できるようにするものである。
【００４１】
図１６（ａ）において、１７は樹脂や金属からなる矩形平板であり、均等な肉厚でありかつ予め表面を平滑に形成したものである。１７ａ、１７ｂはこの平板における長辺方向の端部である。このような平板１７を用いて、図１６（ｂ）に示すように、端部１７ａ、１７ｂを平板の長辺方向の軸心１７ｃのまわりに相互に捻ることで、平板１７を螺旋状に塑性変形あるいは加熱変形させた棒状の成型品を作成する。
【００４２】
この螺旋状の成型品は、アナモフィック曲面を含む。そこで、この成型品の一部分を円形に裁断して反射面３を得る。
すなわち反射面３は、第１子午断面の凸曲線３ａと第２子午断面の凹曲線３ｂとを有する。この凹曲線３ｂは、第１子午断面の凸曲線３ａと曲率が同等で曲方向が逆の凹曲線となる。第３子午断面は螺旋状成型品の短辺方向で、もとの平板１７をねじる際に変形を受けない方向であり、直線状の中立軸３ｃとなる。また第４子午断面は螺旋状成型品の軸心１７ｃの方向で、同様にねじる際に変形を受けない方向であるため、直線状の中立軸３ｄとなる。このため、反射面３はアナモフィックな曲面を形成することができる。
【００４３】
このように予め表面を平滑に仕上げた平板１７を螺旋状に捻るだけの簡易な方法で、表面の平滑なアナモフィック曲面を容易に形成することができ、形成品をそのまま利用したり、金型の原型として利用したりすることで、反射面３を形成することができる。
（回転走査装置）
図１７は、本発明に基く回転走査装置の斜視図を示す。１は回転軸、２は回転軸１に固定された回転体、３はアナモフィック曲面を持つ反射面である。この構成で回転体２を回転させると反射面３に写り込んだ像が回転する原理については、上記において説明した。ここでは、回転ドラム１８にレーザー光源２０が搭載され、回転ドラム１８が回転軸１９周りに回転しつつ、レーザー光源２０から反射面３に向けてビーム２６を発する。するとビーム２６はビーム２６ａ、２６ｂ、２６ｃのように順次反射面３上を直線的に走査する。この場合、ビーム２６の走査される領域は、回転軸１９に垂直な平面である。この走査状態において反射面３を回転軸１周りに回転させると、反射面３で反射されたビームは、上記の走査平面に対して像回転が与えられて、３次元空間を順次走査することができる。
【００４４】
このような回転操作装置は、バーコードリーダーなどに応用することができる。すなわち、回転する走査光が非検出物に当たって反射した光を図示を省略した検出器で検出すれば、その強度、変調情報から、被検出物の情報を得ることができる。
【産業上の利用可能性】
【００４５】
本発明の回転式反射鏡および回転表示装置は、反射面を、その第１子午断面が凸曲線となり、第２子午断面が前記第１子午断面と曲率が同等で曲方向が逆の凹曲線となるアナモフィック曲面またはトロイダル曲面とすることで、前記反射面を回転させることによって、反射面に写りこむ反射像を回転させることができる。このため、従来プリズムや合わせ鏡が必要だった反射式イメージローテーターを簡素化することができて、低コストで薄く、しかも意匠性に優れた回転表示装置や回転走査装置を提供することができるものであり、周囲が写り込むように表面に意匠が施された回転体の回転動作を表示するための、回転式反射鏡、および、具体的には回転ダイヤル、回転翼、回転表示板、車輪、回転光学素子、容器の蓋、ローラーなどの回転表示装置として有用である。
【図面の簡単な説明】
【００４６】
【図１】本発明に基く回転式反射鏡の斜視図
【図２】図１における回転体の断面斜視図
【図３】図１における回転体の他の断面斜視図
【図４】図１の反射鏡に写り込む像の方向を示した斜視図
【図５】本発明に基く回転式反射鏡の作成例の反射の様子を示す図
【図６】図１の反射鏡のアナモフィック反射面の高低分布を示す平面図
【図７】本発明の実施の形態の回転表示装置の斜視図
【図８】本発明の他の実施の形態の回転表示装置の斜視図
【図９】反射鏡の変形例を示す図
【図１０】図９の反射鏡を枠に挿入したものの断面図
【図１１】本発明の実施の形態の回転翼の回転表示装置の斜視図
【図１２】本発明の他の実施の形態の回転翼の回転表示装置の斜視図
【図１３】本発明の実施の形態の車輪の回転表示装置の斜視図
【図１４】本発明の実施の形態のローラーの回転表示装置の斜視図
【図１５】本発明の実施の形態の容器の蓋の回転表示装置の斜視図
【図１６】本発明に基く回転反射鏡の製造方法を示す斜視図
【図１７】本発明に基く回転走査装置の斜視図
【図１８】従来の回転つまみを例示する図
【図１９】従来のイメージローテーターを例示する図
【符号の説明】
【００４７】
３    反射面
３ａ  凸曲線
３ｂ  凹曲線
１７    矩形平板
【図１】
2007114327.tif 000003
【図２】
2007114327.tif 000004
【図３】
2007114327.tif 000005
【図４】
2007114327.tif 000006
【図５】
2007114327.tif 000007
【図６】
2007114327.tif 000008
【図７】
2007114327.tif 000009
【図８】
2007114327.tif 000010
【図９】
2007114327.tif 000011
【図１０】
2007114327.tif 000012
【図１１】
2007114327.tif 000013
【図１２】
2007114327.tif 000014
【図１３】
2007114327.tif 000015
【図１４】
2007114327.tif 000016
【図１５】
2007114327.tif 000017
【図１６】
2007114327.tif 000018
【図１７】
2007114327.tif 000019
【図１８】
2007114327.tif 000020
【図１９】
2007114327.tif 000021